(57)【要約】  移動端末の測位は、複数の移動端末１１０、１２０、１３０による受信信号についての測定を評価することを有するタイプのものである。この信号は、少なくとも１つのセルラー通信ネットワークの複数の基地局２０１〜２０５により送信される。移動端末の測位をサポートするために、このような測定を実行するのに適した移動端末１１０、１２０、１３０が、移動端末の利用可能な位置データに基づき決定される。位置データは、指示されたタイプの測位とは独立して入手可能である。【選択図】図１
2009527965.tif 000002
【特許請求の範囲】
【請求項１】
移動端末（１１０）の測位をサポートする方法であって、該測位は、複数の移動端末（１１０、１２０、１３０）による受信信号についての測定を評価することを有するタイプのものであり、該信号は、少なくとも１つのセルラー通信ネットワークの複数の基地局（２０１〜２０５）により送信され、
セルラー通信ネットワークのセルの識別を決定するステップ（ステップ８０２）であって、該セル識別は、少なくとも１つの移動端末（１１０、１２０、１３０）による受信信号についての測定が必要とされる領域に関連しているステップ、及び
少なくとも１つの移動端末（１１０、１２０、１３０）に対する位置データに基づき受信信号についての測定を提供するために、前記領域内に位置する該少なくとも１つの移動端末（１１０、１２０、１３０）を選択するステップ（ステップ８０４〜８０９）であって、該位置データは前記タイプの測位とは独立して入手可能であるステップ、
を有する方法。
【請求項２】
前記位置データは、セルラー通信ネットワークにアクセスする移動端末（１１０、１２０、１３０）の移動の通常の追跡から入手可能である、請求項１に記載の方法。
【請求項３】
前記位置データは、
位置更新情報、
ルーティング領域情報、
サービング・セル情報、
ネットワーク測定レポート、
のうち少なくとも１つを有する、請求項１に記載の方法。
【請求項４】
位置データに基づき少なくとも１つの移動端末（１１０、１２０、１３０）を選択することは、設定されているしきい値よりも古い位置データを除くこと（ステップ８０５）を有する、請求項１に記載の方法。
【請求項５】
受信信号についての測定を提供するために少なくとも１つの移動端末（１１０、１２０、１３０）を選択することは、前記タイプの測位をサポートしていない移動端末を除くこと（ステップ８０７）を有する、請求項１に記載の方法。
【請求項６】
受信信号についての測定を提供するために少なくとも１つの移動端末（１１０、１２０、１３０）を選択することは、受信信号についての測定を提供するために最近選択されたことがある移動端末を除くこと（ステップ８０８）を有する、請求項１に記載の方法。
【請求項７】
受信信号についての測定を提供するために最近選択されたことがある移動端末の記録を、前記少なくとも１つの選択された移動端末（１１０、１２０、１３０）で更新すること（ステップ８１１）をさらに有する、請求項６に記載の方法。
【請求項８】
受信信号についての前記測定は受信信号の観測時間差の測定であり、前記方法は、少なくとも１つのセルラー通信ネットワークの複数の基地局（２０１〜２０５）により送信された信号の無線インターフェース・タイミングを決定する（ステップ８０９）ために該観測時間差を使用し、及び該無線インターフェース・タイミングを更なる使用のために格納すること（ステップ８１０）をさらに有する、請求項１に記載の方法。
【請求項９】
一定の間隔、及び少なくとも１つの移動端末（１１０、１２０、１３０）による受信信号についての測定が特定の領域内で必要とされるときの少なくとも一方において、前記方法を実行することをさらに有する、請求項１に記載の方法。
【請求項１０】
前記方法は、移動端末（１１０）による測位要求（ステップ８２１）があれば実行され、前記セル識別は、該移動端末（１１０）のサービング基地局（２０１）によりサービスを提供されているセルの識別である、請求項１に記載の方法。
【請求項１１】
前記測位のタイプはＭａｔｒｉｘ測位である、請求項１に記載の方法。
【請求項１２】
移動端末（１１０）の測位をサポートする移動体ロケーション・センター（３００）であって、該測位は、複数の移動端末（１１０、１２０、１３０）による受信信号についての測定を評価することを有するタイプのものであり、該信号は、少なくとも１つのセルラー通信ネットワークの複数の基地局（２０１〜２０５）により送信され、
セルラー通信ネットワークのセルの識別を決定するよう適合された処理手段（３１０、３１３）であって、該セル識別は、少なくとも１つの移動端末（１１０、１２０、１３０）による受信信号についての測定が必要とされる領域に関連している処理手段、及び
少なくとも１つの移動端末（１１０、１２０、１３０）に対する位置データに基づき受信信号についての測定を提供するために、前記領域内に位置する該少なくとも１つの移動端末（１１０、１２０、１３０）を選択するよう適合された処理手段（３１０、３１３）であって、該位置データは前記タイプの測位とは独立して入手可能である処理手段、
を有する移動体ロケーション・センター（３００）。
【請求項１３】
請求項１２に記載の移動体ロケーション・センター（３００）を有する通信ネットワーク。
【請求項１４】
複数の移動端末（１１０、１２０、１３０）及び請求項１２に記載の移動体ロケーション・センター（３００）を有する通信システム。
【請求項１５】
移動端末（１１０）の測位をサポートするソフトウェア・コードであって、該測位は、複数の移動端末（１１０、１２０、１３０）による受信信号についての測定を評価することを有するタイプのものであり、該信号は、少なくとも１つのセルラー通信ネットワークの複数の基地局（２０１〜２０５）により送信され、プロセッサ（３１０）により実行されるとき、
セルラー通信ネットワークのセルの識別を決定するステップ（ステップ８０２）であって、該セル識別は、少なくとも１つの移動端末（１１０、１２０、１３０）による受信信号についての測定が必要とされる領域に関連しているステップ、及び
少なくとも１つの移動端末（１１０、１２０、１３０）に対する位置データに基づき受信信号についての測定を提供するために、前記領域内に位置する該少なくとも１つの移動端末（１１０、１２０、１３０）を選択するステップ（ステップ８０４〜８０９）であって、該位置データは前記タイプの測位とは独立して入手可能であるステップ、
を実現するソフトウェア・コード。
【請求項１６】
請求項１５に記載のソフトウェア・コード（３１３）が可読媒体に格納されている、ソフトウェア・プログラムプロダクト。
【発明の詳細な説明】
【技術分野】
【０００１】
本発明は、移動端末の測位をサポートする方法に関する。この測位は、複数の移動端末による受信信号についての測定を評価することを有するタイプのものであり、これらの信号は、少なくとも１つのセルラー通信ネットワークの複数の基地局によって送信される。本発明は、対応する移動体ロケーション・センター（ｍｏｂｉｌｅ  ｌｏｃａｔｉｏｎ  ｃｅｎｔｅｒ）と、対応するセルラー通信ネットワークと、対応するセルラー通信システムと、対応するソフトウェア・コードと、対応するソフトウェア・プログラム製品とに等しく関連する。
【背景技術】
【０００２】
ＧＳＭ（Ｇｌｏｂａｌ  Ｓｙｓｔｅｍ  ｏｆ  Ｍｏｂｉｌｅ  Ｃｏｍｍｕｎｉｃａｔｉｏｎ）に対し、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）により標準化されている既知の測位方法は、エンハンスト観測時間差（Ｅ‐ＯＴＤ：Ｅｎｈａｎｃｅｄ  Ｏｂｓｅｒｖｅｄ  Ｔｉｍｅ  Ｄｉｆｆｅｒｅｎｃｅ）法である。広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）に基づくシステムに対する３ＧＰＰ標準では、Ｅ‐ＯＴＤは到来観測時間差（ＯＴＤＯＡ：Ｏｂｓｅｒｖｅｄ  Ｔｉｍｅ  Ｄｉｆｆｅｒｅｎｃｅ  ｏｆ  Ａｒｒｉｖａｌ）として言及される。Ｅ‐ＯＴＤ／ＯＴＤＯＡ方法は、オープン・モバイル・アライアンス（ＯＭＡ：Ｏｐｅｎ  Ｍｏｂｉｌｅ  Ａｌｌｉａｎｃｅ）により標準化されたＳＵＰＬ（Ｓｅｃｕｒｅ  Ｕｓｅｒ  Ｐｌａｎｅ  Ｌｏｃａｔｉｏｎ）ソリューションによってもサポートされている。
【０００３】
Ｅ‐ＯＴＤ／ＯＴＤＯＡを用いて、移動端末は観測時間差（ＯＴＤ）値を測定する。これは、２つの基地局それぞれからの信号間の受信時間差である。この差は、信号の特定の繰り返し部分、例えば同期バーストの始まりから観測できる。移動端末は、ＯＴＤ値をネットワークへ送信し、そこでＯＴＤ値がノキアｉＧＭＬＣのような評価コンポーネントによって評価される。３ＧＰＰソリューションでは、評価コンポーネントはサービング移動体ロケーション・センター（ＳＭＬＣ：Ｓｅｒｖｉｎｇ  Ｍｏｂｉｌｅ  Ｌｏｃａｔｉｏｎ  Ｃｅｎｔｅｒ）と呼ばれ、ＯＭＡソリューションでは、評価コンポーネントはＳＵＰＬロケーション・プラットフォーム（ＳＬＰ：ＳＵＰＬ  Ｌｏｃａｔｉｏｎ  Ｐｌａｔｆｏｒｍ）と呼ばれる。２つの送信基地局それぞれでの送信の時間差は、ＧＳＭにおいてタイミング・モデル又は実時間差（ＲＴＤ：Ｒｅａｌ  Ｔｉｍｅ  Ｄｉｆｆｅｒｅｎｃｅｓ）と呼ばれる。関連する基地局間のＲＴＤが分かっていれば、評価コンポーネントによって、一対の基地局に関して地理的時間差（ＧＴＤ：Ｇｅｏｇｒａｐｈｉｃａｌ  Ｔｉｍｅ  Ｄｉｆｆｅｒｅｎｃｅ）値が、ＧＴＤ＝ＯＴＤ−ＲＴＤとして得られる。ＧＴＤ値は、ＯＴＤが測定され、且つＲＴＤが使用可能な２つの基地局間の双曲線を定義する。このような双曲線を２つ又はそれ以上用いて、移動端末の位置が双曲線の交点にあると推定することができる。
【０００４】
標準化されたＥ‐ＯＴＤ／ＯＴＤＯＡソリューションは、基地局送信間の避けられないタイミング差を測定することを、位置測定ユニット（ＬＭＵ：Ｌｏｃａｔｉｏｎ  Ｍｅａｓｕｒｅｍｅｎｔ  Ｕｎｉｔ）に依存する。基地局及びＬＭＵは既知の位置にあるため、ＬＭＵと、基地局の個々の対とのＧＴＤは既知である。したがって、ＬＭＵは、送信基地局のＲＴＤがＲＴＤ＝ＯＴＤ−ＧＴＤとして計算できるように、ＯＴＤ測定を実行すればよい。ＬＭＵが必要であるということ、及びこれらＬＭＵが多大な費用を必要とするということが、このソリューションの欠点である。
【０００５】
ケンブリッジ測位システム（ＣＰＳ：Ｃａｍｂｒｉｄｇｅ  Ｐｏｓｉｔｉｏｎｉｎｇ  Ｓｙｓｔｅｍｓ）は、Ｍａｔｒｉｘと呼ばれる、ＬＭＵなしで済むＥ‐ＯＴＤ／ＯＴＤＯＡ測位方法を開発した。
【０００６】
Ｍａｔｒｉｘは、ＬＭＵからの測定情報と置き換えるため、測位される移動端末以外の複数の移動端末からの測定を使用する。２つの移動端末が５つの共通の基地局サイトからの送信を測定するとき、又は３つの移動端末が４つの共通の基地局サイトからの送信を測定するとき、一群の式を解き、これら移動端末の位置及び目的とするＲＴＤ値を得ることができる。
【０００７】
適切に配置されていれば、セルラー基地局の送信は比較的安定しているため、ＲＴＤ値はコヒーレンス期間（ｃｏｈｅｒｅｎｃｅ  ｐｅｒｉｏｄ）と呼ばれる期間において有効である。したがって、移動端末の位置に関するリクエストが着信したときに所望のＲＴＤ値が得られるように、ネットワークは、ＲＴＤ値を調べるため、定期的に匿名のＭａｔｒｉｘ動作を実行することができる。
【０００８】
Ｍａｔｒｉｘの課題は、これらの基地局に関して有効なＲＴＤ値を得るために、５つ又は４つの共通の基地局サイトからの送信を測定するのに適した２つ又は３つの移動端末を見つけることである。
【０００９】
前述のＭａｔｒｉｘ測位において決定された移動端末の位置は、選択の根拠としての限定的な利用しかできない。移動端末は、「サイレンス」期間中、すなわち最後の測位とＲＴＤ測定が必要とされる時との間の時間中に移動することもある。したがって、このような移動端末にＯＴＤ測定の実行を要求することは無駄な手順である。一方、対象領域内にＭａｔｒｉｘ対応の移動端末が幾つかあることもあり、これらは使用可能であることが分かっていない。移動端末がそれ自体の位置を要求したことがなければ、測位システムはそれを認識していない。もう１つの欠点は、タイミング・モデル／ＲＴＤ更新のために、同じ移動端末が頻繁に妨げられることである。
【発明の開示】
【００１０】
本発明は、複数の移動端末による受信信号についての測定を必要とするタイプの測位を強化する。
【００１１】
移動端末の測位をサポートする方法が提案される。測位は、複数の移動端末による受信信号についての測定を評価することを有するタイプのものである。信号は、少なくとも１つのセルラー通信ネットワークの複数の基地局によって送信される。本方法は、セルラー通信ネットワークのセルの識別を決定することを有し、このセル識別は、少なくとも１つの移動端末による受信信号についての測定が必要とされている領域に関連する。本方法は、少なくとも１つの移動端末の位置データに基づき、この領域内にあり受信信号についての測定を提供する少なくとも１つの移動端末を選択することをさらに有する。位置データは、このタイプの測位とは独立して利用可能である。
【００１２】
さらに、移動端末の測位をサポートする移動体ロケーション・センターが提案される。この測位は、複数の移動端末による受信信号についての測定を評価することを有するタイプのものであり、この信号は、少なくとも１つのセルラー通信ネットワークの複数の基地局によって送信される。移動体ロケーション・センターは、セルラー通信ネットワークのセルの識別を決定するように適合された処理手段を有し、このセル識別は、少なくとも１つの移動端末による受信信号についての測定が必要とされている領域に関連する。移動体ロケーション・センターは、少なくとも１つの移動端末の位置データに基づき、この領域にあり受信信号についての測定を提供する少なくとも１つの移動端末を選択するよう適合された処理手段をさらに有する。位置データは、このタイプの測位とは独立して利用可能である。
【００１３】
移動体ロケーション・センターは、例えば、セルラー通信ネットワークのネットワーク構成要素とすることも、又はこのようなネットワーク構成要素に統合することもできる。あるいは、セルラー通信ネットワーク外部の装置とすることも、又はその装置に属するものとすることも可能である。
【００１４】
処理手段はハードウェア及び／又はソフトウェアにおいて実現できる。これらは例えば、対応するソフトウェア・コード、及びこのソフトウェア・コードを実行するプロセッサを有することができる。あるいは、例えばチップに統合された回路によって実現することもできるであろう。
【００１５】
さらに、提案される移動体ロケーション・センターを有する通信ネットワークが提案される。
【００１６】
さらに、複数の移動端末及び提案される移動体ロケーション・センターを有する通信システムが提案される。
【００１７】
さらに、移動端末の測位をサポートするソフトウェア・コードが提案される。測位は、複数の移動端末による受信信号についての測定を評価することを有するタイプのものであり、この信号は、少なくとも１つのセルラー通信ネットワークの複数の基地局によって送信される。プロセッサによって実行されると、ソフトウェア・コードは提案される方法を実現する。
【００１８】
最後に、提案されるソフトウェア・コードが可読媒体に格納されている、ソフトウェア・プログラムプロダクトが提案される。ソフトウェア・プログラムプロダクトは、例えば、個別のメモリ・デバイス、格納されているソフトウェア・コードを実行するためにプロセッサによりアクセス可能な、移動体ロケーション・センター内に実装されるメモリ、又は移動体ロケーション・センター内に実装するための、より包括的なモジュールなどとすることができる。
【００１９】
本発明は、大部分のセルラー通信ネットワークにおいて、移動端末の位置に関するいくらかの情報は既に利用可能な状態にあるという動機から生じている。このような情報は、サポートされるべき本タイプの測位に対して能動的に生成されるものではないため、受動的位置データと呼ぶことができる。利用可能な受動的位置データを、強化された測位ソリューションに対し使用することが提案される。受動的位置データは、選択された領域内において測定を実行するのに適していると考えられる移動端末を選択するために利用される。
【００２０】
当然のことながら、基地局は、セルラー通信ネットワークへの何らかの種類のワイヤレス・アクセス・ポイントであればよい。さらに、当然のことながら、移動端末は、特定の位置に固定されず、このようなアクセス・ポイントからの信号を受信及び測定するよう適合されている任意のデバイスであればよい。さらに、当然のことながら、セルラー通信ネットワークは、少なくとも１つのワイヤレス・アクセス・ポイントを介して移動端末へデータを送信するよう適合されている任意の種類のネットワークであればよい。
【００２１】
必要とされる測定のために適切な端末の選択を容易にすることが、本発明の利点である。結果として、本発明は、測位動作の成功の可能性及びスピードを高める。
【００２２】
既存設備への新たなハードウェア要件を伴わず実装され得ることも、本発明の利点である。
【００２３】
用いられる位置データは、例えば、何らかのセルラー通信ネットワークにアクセスしている移動端末の移動の通常の追跡から入手可能なこともある。このような位置データの幾つかの例として、位置エリアの形式での位置更新情報、例えば汎用パケット無線サービス（ＧＰＲＳ：Ｇｅｎｅｒａｌ  Ｐａｃｋｅｔ  Ｒａｄｉｏ  Ｓｅｒｖｉｃｅ）ＳＴＡＮＤＢＹ状態と関連付けられるルーティングエリア情報、通話、ショート・メッセージ、及びハンドオーバーなどの間に得られるサービング・セル情報などがある。
【００２４】
利用可能な位置データの別の例は、例えば、ＧＳＭにおいて提供されるネットワーク測定レポート（ＮＭＲ：ｎｅｔｗｏｒｋ  ｍｅａｓｕｒｅｍｅｎｔ  ｒｅｐｏｒｔ）である。これらのレポートは、移動デバイスによってネットワークへ送信される。レポートには、通話中にどのセルに対してハンドオーバーが実行可能であるかをネットワークが決定できるよう、サービング基地局及び周辺の基地局からの信号の測定受信レベルが含まれる。ＮＭＲは位置推定を計算するために使用できるため、可能性のあるタイプの受動的位置データと考えられる。
【００２５】
ＧＳＭ及びＷＣＤＭＡなど、多くのセルラー・ネットワーク標準はさらに、ロケーション・サービス（ＬＣＳ：Ｌｏｃａｔｉｏｎ  Ｓｅｒｖｉｃｅｓ）を明確にサポートしている。ＬＣＳは、移動デバイスの位置推定を提供する動作を実行するためのメカニズム及び手順を提供する。例えば、ＯＭＡ  ＳＵＰＬは、移動デバイスの位置を計算できるように、信号強度、すなわち「ＲＸレベル」のＳＬＰへの配信をサポートしている。
【００２６】
当然、利用可能な位置データが、古すぎる場合、又は何時のものか分からない場合、信頼できない。したがって、本発明の一実施形態では、位置データに基づいて少なくとも１つの移動端末を選択することは、設定されているしきい値よりも古い位置データを廃棄することを有する。しきい値は固定又は可変とすることができる。可変である場合、例えばセルのサイズ、又は決定されたセル識別に関連する別の領域のサイズに伴い高くすることができる。
【００２７】
本発明の一実施形態では、受信信号についての測定を提供する少なくとも１つの移動端末を選択することは、このタイプの測位をサポートしていない移動端末を除くことを有する。３ＧＰＰソリューションの場合、端末の機能は、例えばクラス・マーク（ｃｌａｓｓ  ｍａｒｋ）から分かる。ＯＭＡソリューションの場合、移動端末は、ネットワークとの初期ＳＵＰＬシグナリングにおいてその機能を示す。さらに、移動端末が測位をサポートするのに適しているかどうかを調べるために、Ｎｏｋｉａ  Ｔｅｒｍｉｎａｌ  Ｍａｎａｇｅｍｅｎｔ  Ｓｙｓｔｅｍ（ＮＴＭＳ）のような端末管理システムが使用できる。
【００２８】
本発明の一実施形態では、受信信号についての測定を提供する少なくとも１つの決定された移動端末を選択することは、受信信号についての測定を提供するために最近選択されたことがある移動端末を除くことを有する。すなわち、見込みのある端末が多数使用可能であれば、最近使用されたものはフィルタをかけ除外される。
【００２９】
これによって、特定の「匿名の」移動端末が、他の移動端末の測位をサポートする動作で過負荷をかけられることを回避できる。したがって、他の適切な端末を発見する可能性が高まるため、本発明は特定の端末の負荷を減らすのに適している。
【００３０】
どの移動端末が最近使用されたかを評価できるようにするために、受信信号についての測定を提供するよう最近選択されたことがある移動端末の記録が、最後に選択された移動端末で更新することができる。最近使用された端末のこのような記録は、例えばＳＭＬＣ又はＳＬＰによって保存することができる。
【００３１】
受信信号についての測定は、例えば、受信信号のＯＴＤの測定とすることもできる。ＯＴＤはさらに、少なくとも１つのセルラー通信ネットワークの複数の基地局によって送信された信号の無線インターフェース・タイミング（ＲＩＴ：Ｒａｄｉｏ  Ｉｎｔｅｒｆａｃｅ  Ｔｉｍｉｎｇ）を決定するために使用できる。そして、ＲＩＴがさらなる使用、例えば移動端末の測位のために格納される。決定されたＲＩＴは、例えば、決定されたＲＴＤ又は決定された絶対時間差（ＡＴＤ：ａｂｓｏｌｕｔｅ  ｔｉｍｅ  ｄｉｆｆｅｒｅｎｃｅｓ）を有することができる。測位において、ＲＴＤの代わりに絶対時間が参照用に使用できるのであれば、ＡＴＤを使用するべきである。
【００３２】
本発明による適切な移動端末の選択は、一定の間隔において、及び／又は特定の領域内で、例えばこの領域内の特定の基地局に対して、少なくとも１つの移動端末による受信信号についての測定が要求されるたびに、実行されることが可能である。
【００３３】
あるいは、又はこれに加えて、本発明に従い、１つの移動端末による測位の要求があれば、移動端末が選択されることができる。この場合、決定されるセル識別は、要求側の移動端末のサービング基地局によりサービスを受けるセルの識別である。
【００３４】
基地局は、任意のタイプのセルラー通信ネットワーク、例えばＧＳＭ又はＷＣＤＭＡに基づくセルラー通信ネットワークの基地局とすることができる。さらに、これらの基地局による送信についての測定を実行するために選択される移動デバイスは、必ずしもそれら基地局が属するセルラー通信ネットワークにアクセスしている必要があるわけではないことに注意されたい。例えば、移動デバイスはＷＣＤＭＡを使用するネットワークに接続されていてもよく、移動デバイスの位置データはこの接続によって入手可能となるであろう。それでも、移動デバイスがＧＳＭも同様にサポートしている限りは、第２世代（２Ｇ：ｓｅｃｏｎｄ  ｇｅｎｅｒａｔｉｏｎ）基地局による送信についての測定を実行するために、この移動局が選択されることもあり得る。３Ｇ  Ｍａｔｒｉｘ測位をサポートしている、最も可能性の高いＳＵＰＬ対応の３Ｇ移動デバイスは、例えば、デュアル・モード移動デバイスである。これは、この移動デバイスが、ＧＳＭ及び第２世代（２Ｇ）Ｍａｔｒｉｘ測位もサポートするということを意味する。共通して評価されるべき測定が検討される基地局でさえ、異なるタイプのセルラー通信ネットワークに属することがあり得る。例えば、ＧＳＭ／ＷＣＤＭＡ対応の移動デバイスは、ＧＳＭ基地局間のＯＴＤ値、及びノードＢ間のＯＴＤＯＡ値を測定でき、さらに、２Ｇ基地局と３Ｇ基地局との間の複合したＯＴＤ／ＯＴＤＯＡ値の測定さえもできる。
【発明を実施するための最良の形態】
【００３５】
添付の図面と併せて考慮することで、以下の詳細な説明から、本発明のその他の目的及び特徴が明らかになる。図１は、本発明の実施形態による強化されたＭａｔｒｉｘ測位が実装された、例示的なセルラー通信システムの概略ブロック図である。セルラー通信システムは、例えば、本発明に従って補完された従来のＧＳＭ又はＷＣＤＭＡシステムとすることができる。
【００３６】
システムは、複数の移動端末１１０、１２０、１３０を有する。移動端末１１０、１２０、１３０は従来の移動端末であればよい。これらの少なくとも一部はＭａｔｒｉｘ対応である。Ｍａｔｒｉｘ対応移動端末１１０はそれぞれ、ＯＴＤ測定を実行するように適合されているＯＴＤ測定コンポーネント１１１、並びに移動端末１１０及び他の移動端末の測位を可能にするためにセルラー通信ネットワークとの通信を管理するように適合されている測位コンポーネント１１２を有する。
【００３７】
システムは、セルラー通信ネットワークをさらに有する。
【００３８】
セルラー通信ネットワークは、複数の基地局２０１、２０２、２０３、２０４、２０５を有し、それぞれ、少なくとも１つのセル内の移動端末１１０〜１３０にサービスを提供している。各セルに対して、セル識別（ＩＤ：ｉｄｅｎｔｉｔｙ）が割り当てられている。
【００３９】
セルラー通信ネットワークは、例えば３ＧＰＰサービング移動体ロケーション・センターＳＭＬＣなどの移動体ロケーション・センター３００をさらに有する。セルラー通信ネットワーク内に移動体ロケーション・センター３００が複数あり、関連した領域をそれぞれが担当することができる。
【００４０】
移動体ロケーション・センター３００は、移動体ロケーション・センター３００内に実装されたソフトウェア・コードを実行するように適合されたプロセッサ３１０を備えている。
【００４１】
実装されているソフトウェア・コードは測位コンポーネント３１１を有する。測位コンポーネント３１１は、移動端末１１０から提供されるＯＴＤ測定に基づき、種々の基地局２０１〜２０５の送信に対する利用可能なＲＴＤ値に基づき、及びこれらの基地局２０１〜２０５の蓄積されている位置に基づき、移動端末の従来の測位を実行するように適合される。
【００４２】
実装されているソフトウェア・コードは、ＲＴＤ決定コンポーネント３１２をさらに有する。ＲＴＤ決定コンポーネント３１２は、複数のＭａｔｒｉｘ対応移動端末１１０〜１３０からのＯＴＤ測定に基づき、及び種々の基地局２０１〜２０５の蓄積されている位置に基づき、基地局２０１〜２０５のそれぞれの対に対する従来のＲＴＤ決定を実行するよう適合される。
【００４３】
実装されているソフトウェア・コードは、端末選択コンポーネント３１３をさらに有する。端末選択コンポーネント３１３は適切な移動端末１１０〜１３０を選択するよう適合され、本発明の実施形態に従い、これら移動端末は、ＲＴＤ決定コンポーネント３１２によるそれぞれのＲＴＤ決定のためにＯＴＤ測定結果を提供するものである。
【００４４】
移動体ロケーション・センター３００は、メモリ３２０をさらに備えている。メモリ３２０は、移動体ロケーション・センター３００に関連した領域内に位置する基地局２０１〜２０５の既知の位置を備えるデータベース３２１を格納する。さらに、メモリ３２０は、種々の端末モデルと、それらのそれぞれのＯＴＤ測定機能との間の関連を備えるデータベース３２２を格納する。メモリ３２０は、ＲＴＤ決定コンポーネント３１２によって最近決定されたＲＴＤ値を備えるデータベース３２３をさらに格納する。各基地局２０１〜２０５に対し、例えば周辺の各基地局に対するそれぞれのＲＴＤ値など、複数のＲＴＤ値がある。メモリ３２０は、端末選択コンポーネント３１３によって最近選択されたことがある移動端末のリストを備えるデータベース３２４をさらに格納する。
【００４５】
プロセッサ３１０は、ソフトウェア・コード・コンポーネント３１１、３１２、３１３のいずれかによる要求があると、メモリ３２０内のデータベース３２２〜３２４にアクセスできる。
【００４６】
セルラー通信ネットワークはＶＬＲ４１０をさらに有する。ＶＬＲ４１０は従来のＶＬＲとしてよい。ＶＬＲは、関連する領域内に現在位置する各移動端末１１０〜１３０の受動的位置データを備えるデータベース４１１を格納する。受動的位置データは、登録されている移動端末それぞれについて、移動端末の現在のサービング基地局によってサービスを提供されているセルのセルＩＤ、移動端末の端末ＩＤ、及び最終更新時間を有することができる。あるいは、受動的位置データを備えるデータベース４１１は、移動体ロケーション・センター３００など、別の構成要素内に格納されることもできる。この場合、ＶＬＲ４１０は、格納されるべき受動的位置データをこの別の構成要素に送ることも可能である。
【００４７】
セルラー通信ネットワークは、端末管理システム４２０をさらに有する。端末管理システム４２０は、例えばノキア端末管理システム（Ｎｏｋｉａ  Ｔｅｒｍｉｎａｌ  Ｍａｎａｇｅｍｅｎｔ  Ｓｙｓｔｅｍ）など、従来の端末管理システムとすることができる。これは、セルラー通信ネットワーク内に登録されている各移動端末１１０〜１３０の端末モデルを格納する。
【００４８】
ここから、図１のシステムにおける動作を、図２のフローチャートを参照してさらに詳しく説明する。
【００４９】
ＲＴＤ決定コンポーネント３１２は、移動体ロケーション・センター３００が管理している全ての基地局２０１〜２０５について、データベース３２３内のＲＴＤ値を定期的に更新する。
【００５０】
このために、ＲＴＤ決定コンポーネント３１２は、格納されているＲＴＤ値の更新が必要な個別の基地局２０１を決定する。次に、ＲＴＤ決定コンポーネントは、端末選択コンポーネント３１３に、この基地局２０１に対するＯＴＤ測定結果を提供するのに適した幾つかの移動端末の端末ＩＤを提供するよう要求する（ステップ８０１）。
【００５１】
その結果、端末選択コンポーネント３１３は、基地局２０１によってサービスを提供されているセルのセル識別を決定する（ステップ８０２）。
【００５２】
次に、端末選択コンポーネント３１３は、ＶＬＲ４１０又はデータベース４１１などの別の構成要素に、受動的位置データを要求する。
【００５３】
端末選択コンポーネント３１３は、例えば、決定されたセルＩＤを含む使用可能な受動的位置データ全てをデータベース４１１から読み出すことができる。あるいは、端末選択コンポーネントは、使用可能な受動的位置データ全てをデータベース４１１から読み出し、そして、決定されたセルＩＤを含むデータを自身で選択することもできる（ステップ８０４）。
【００５４】
上記したように、ＶＬＲ４１０により提供される受動的位置データは通常、セルＩＤ及び端末ＩＤを有する。しかし幾つかの場合では、受動的位置データが、セルＩＤではなく位置領域又はルーティング領域のみを有することもある。このような領域は幾つかのセルを含むこともある。この場合、まず、決定されたセルＩＤに対応する位置又はルーティング領域が決定されなければならない（ステップ８０３）。次に、決定された位置又はルーティング領域の表示を有する全ての受動的位置データが選択される（ステップ８０４）。
【００５５】
次に、端末選択コンポーネント３１３は、選択された受動的位置データを、その経過時間（ａｇｅ）に関してフィルタにかける（ステップ８０５）。受動的位置データの経過時間はしきい値を上回ってはならない。このしきい値は、２〜３秒のような小さな値に固定することができる。あるいは、例えば考慮されるセルのサイズに基づき、動的に設定されることも可能である。後者の場合、小さなセルより大きなセルに対して、しきい値は大きくすることができるであろう。いずれにしても、経過時間がこのしきい値未満である受動的位置データを持つ移動端末が、その間の時間に別のセルへ移動してしまうという可能性が低くなるように、しきい値が設定されるべきである。
【００５６】
残された受動的位置データから、端末選択コンポーネント３１３は端末ＩＤを抽出する（ステップ８０６）。
【００５７】
次に、端末選択コンポーネント３１３は、抽出された端末ＩＤを有する移動端末がＭａｔｒｉｘ対応であるかどうかを確認する（ステップ８０７）。端末の観点からすれば、これはＥ‐ＯＴＤ又はＯＴＤＯＡ対応であるのと同じである。端末の機能を確認するために、端末選択コンポーネント３１３は、個々の端末ＩＤに基づいて、端末管理システム４２０から各端末のモデルを得ることができる。続いて、各端末モデルについて、端末選択コンポーネント３１３はデータベース３２２内の端末機能を調べることができる。
【００５８】
さらなる処理では、Ｍａｔｒｉｘ対応の移動端末のみが考慮される。
【００５９】
さらに、端末選択コンポーネント３１３は、残された移動端末のいずれかが最近Ｍａｔｒｉｘ動作で使用されたことがあるかどうかを確認する。これらの端末の端末ＩＤは、データベース３２４に格納されている。端末が十分残っていれば、Ｍａｔｒｉｘ動作において最近使用されたことがある全ての端末もまた除かれる（ステップ８０８）。それによって、その位置は必要ないもののＲＴＤ値を得るためだけに使用される特定の端末が、Ｍａｔｒｉｘをサポートする動作で著しく負荷がかけられることを回避する。
【００６０】
残りの移動端末１１０〜１３０のうち２つ以上が、選択された基地局２０１に対するＲＴＤ値を決定するために選択される（ステップ８０９）。
【００６１】
すなわち、これらの移動端末１１０〜１３０の端末ＩＤが、ＲＴＤ決定コンポーネント３１２に提供される。ＲＴＤ決定コンポーネント３１２は、個別のサービング基地局を介して、これらの移動端末１１０〜１３０のそれぞれに要求を与える。要求は、選択された基地局２０１及び周辺の基地局２０２〜２０５によって受信された信号についてのＯＴＤ測定を実行し、測定結果を移動体ロケーション・センター３００に提供するよう、移動端末１１０〜１３０に指示する。
【００６２】
ＲＴＤ決定コンポーネント３１２は、ＯＴＤ測定結果を受信する。これらのＯＴＤ測定結果及びデータベース３２１内の関連する基地局２０１〜２０５の位置に基づき、ＲＴＤ決定コンポーネントは従来どおりに、選択された基地局２０１に対する所望のＲＴＤ値を決定する。
【００６３】
決定されたＲＴＤ値は、後で使用するために、生成時間と共にデータベース３２３に格納される（ステップ８１０）。ＲＴＤ値は、インスタンスに行列の形式で格納されることが可能である。
【００６４】
最後に、データベース３２４内の移動端末１２０〜１３０のリストが、ＯＴＤ測定のために選択された移動端末１２０〜１３０で更新される（ステップ８１１）。
【００６５】
移動端末１１０自体の主導により移動端末１１０の位置が決定されるべき場合、測位コンポーネント１１２は、ＯＴＤ測定コンポーネント１１１に、サービング基地局２０１及び少なくとも２つの他の基地局２０２〜２０５からの受信信号に基づくＯＴＤ測定を実行させる。次に、測位コンポーネント１１２は、そのサービング基地局２０１を介して移動体ロケーション・センター３００へ、ＯＴＤ測定結果と共に測位要求を送信する。要求を受信すると（ステップ８２１）、測位コンポーネント３１１は、サービング基地局２０１について、有効なＲＴＤ値がデータベース３２３内にあるかを確認することができる（ステップ８２２）。データベース３２３内の使用可能なＲＴＤ値がまだ有効であるかどうかは、ＲＴＤ値の経過時間によって決まる。
【００６６】
有効なＲＴＤ値が使用可能であれば、測位コンポーネント３１１は、受信されたＯＴＤ値及びデータベース３２３から読み出されたＲＴＤ値３２３とを使用して、従来どおりにＧＴＤ値を計算する。次に、移動端末１１０の位置を決定するために、ＧＴＤ値が従来どおりに評価される（ステップ８２３）。
【００６７】
有効なＲＴＤ値が使用可能でなければ、ステップ８０２から８１１を参照して上記したように新たなＲＴＤ値を決定することができる。この場合、決定されるセル識別は、要求側の移動端末１１０のサービング基地局２０１によってサービスを提供されているセルの識別である。この場合、要求側の移動端末１１０からの測定も同様に使用可能であるため、測定を実行するのに適切なその他１つの移動端末１２０、１３０を見つければ十分である。
【００６８】
ステップ８０９においてＲＴＤ値が決定されると、これらの値は測位コンポーネント３１１へ、直接又はデータベース３２３を介して提供される。次に、測位コンポーネント３１１は、新たに決定されたＲＴＤ値に基づき、従来どおりに移動端末１１０の測位を実行することができる（ステップ８２４）。
【００６９】
なお、説明された実施形態は、本発明の種々の可能な実施形態のうちの１つしか構成しない、ということに注意すべきである。
【図面の簡単な説明】
【００７０】
【図１】本発明の実施形態によるセルラー通信システムの概略ブロック図である。
【図２】図１のシステム内の動作を図示するフローチャートである。
【図１】
2009527965.tif 000003
【図２】
2009527965.tif 000004
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
方法であって、
セルラー通信ネットワークのセルの識別を決定するステップであって、該セル識別は、移動端末の測位をサポートするために、少なくとも１つの移動端末による受信信号についての測定が必要とされる領域に関連し、該測位は複数の移動端末による受信信号についての測定を評価することを有するタイプのものであり、該信号は少なくとも１つのセルラー通信ネットワークの複数の基地局により送信されるステップ、及び
少なくとも１つの移動端末に対する位置データに基づき、受信信号についての測定を提供するために、前記領域内に位置する該少なくとも１つの移動端末を選択するステップであって、該位置データは前記タイプの測位とは独立して入手可能であるステップ、
を有する方法。
【請求項２】
前記位置データは、セルラー通信ネットワークにアクセスする移動端末の移動の通常の追跡から入手可能である、請求項１に記載の方法。
【請求項３】
前記位置データは、
位置更新情報、
ルーティング領域情報、
サービング・セル情報、及び
ネットワーク測定レポート、
のうち少なくとも１つを有する、請求項１に記載の方法。
【請求項４】
位置データに基づき少なくとも１つの移動端末を選択することは、設定されているしきい値よりも古い位置データを除くことを有する、請求項１に記載の方法。
【請求項５】
受信信号についての測定を提供するために少なくとも１つの移動端末を選択することは、前記タイプの測位をサポートしていない移動端末を除くことを有する、請求項１に記載の方法。
【請求項６】
受信信号についての測定を提供するために少なくとも１つの移動端末を選択することは、受信信号についての測定を提供するために最近選択されたことがある移動端末を除くことを有する、請求項１に記載の方法。
【請求項７】
受信信号についての測定を提供するために最近選択されたことがある移動端末の記録を、前記少なくとも１つの選択された移動端末で更新することをさらに有する、請求項６に記載の方法。
【請求項８】
受信信号についての前記測定は受信信号の観測時間差の測定であり、前記方法は、少なくとも１つのセルラー通信ネットワークの複数の基地局により送信された信号の無線インターフェース・タイミングを決定するために該観測時間差を使用すること、及び該無線インターフェース・タイミングをさらなる使用のために格納することをさらに有する、請求項１に記載の方法。
【請求項９】
一定の間隔、及び少なくとも１つの移動端末による受信信号についての測定が特定の領域内で必要とされるときの少なくとも一方において前記方法を実行することをさらに有する、請求項１に記載の方法。
【請求項１０】
前記方法は、移動端末による測位要求があれば実行され、前記セル識別は、該移動端末のサービング基地局によりサービスを提供されているセルの識別である、請求項１に記載の方法。
【請求項１１】
前記測位のタイプはＭａｔｒｉｘ測位である、請求項１に記載の方法。
【請求項１２】
装置であって、
セルラー通信ネットワークのセルの識別を決定するために構成された処理手段であって、該セル識別は、移動端末の測位をサポートするために、少なくとも１つの移動端末による受信信号についての測定が必要とされる領域に関連し、該測位は複数の移動端末による受信信号についての測定を評価することを有するタイプのものであり、該信号は少なくとも１つのセルラー通信ネットワークの複数の基地局により送信される処理手段、及び
少なくとも１つの移動端末に対する位置データに基づき、受信信号についての測定を提供するために、前記領域内に位置する該少なくとも１つの移動端末を選択するために構成された処理手段であって、該位置データは前記タイプの測位とは独立して入手可能である処理手段、
を有する装置。
【請求項１３】
前記位置データは、セルラー通信ネットワークにアクセスする移動端末の移動の通常の追跡から入手可能である、請求項１２に記載の装置。
【請求項１４】
前記位置データは、
位置更新情報、
ルーティング領域情報、
サービング・セル情報、及び
ネットワーク測定レポート、
のうち少なくとも１つを有する、請求項１２に記載の装置。
【請求項１５】
位置データに基づく少なくとも１つの移動端末の前記選択は、設定されているしきい値よりも古い位置データを除くことを有する、請求項１２に記載の装置。
【請求項１６】
受信信号についての測定を提供するために少なくとも１つの移動端末の前記選択は、前記タイプの測位をサポートしていない移動端末を除くことを有する、請求項１２に記載の装置。
【請求項１７】
受信信号についての測定を提供するために少なくとも１つの移動端末の前期選択は、受信信号についての測定を提供するために最近選択されたことがある移動端末を除くことを有する、請求項１２に記載の装置。
【請求項１８】
受信信号についての測定を提供するために最近選択されたことがある移動端末の記録を、前記少なくとも１つの選択された移動端末で更新するために構成された処理手段をさらに有する、請求項１７に記載の装置。
【請求項１９】
受信信号についての前記測定は受信信号の観測時間差の測定であり、前記装置は、少なくとも１つのセルラー通信ネットワークの複数の基地局により送信された信号の無線インターフェース・タイミングを決定するために該観測時間差を使用するため、及び該無線インターフェース・タイミングを更なる使用のために格納するために構成された処理手段をさらに有する、請求項１２に記載の装置。
【請求項２０】
前記処理手段は、セルの識別を決定するため、並びに、一定の間隔、及び少なくとも１つの移動端末による受信信号についての測定が特定の領域内で必要とされるときの少なくとも一方において、移動端末を選択するために構成される、請求項１２に記載の装置。
【請求項２１】
前記処理手段は、セルの識別を決定するため、及び移動端末による測位要求時に移動端末を選択するために構成され、前記セル識別は、該移動端末のサービング基地局によりサービスを提供されているセルの識別である、請求項１２に記載の装置。
【請求項２２】
前記測位のタイプはＭａｔｒｉｘ測位である、請求項１２に記載の装置。
【請求項２３】
前記装置は移動体ロケーション・センター又は移動体ロケーション・センターのための装置である、請求項１２に記載の装置。
【請求項２４】
請求項１２に記載の装置を有する通信ネットワーク。
【請求項２５】
複数の移動端末及び請求項１２に記載の装置を有する通信システム。
【請求項２６】
移動端末の測位をサポートするためのプログラムであって、該測位は、複数の移動端末による受信信号についての測定を評価することを有するタイプのものであり、該信号は、少なくとも１つのセルラー通信ネットワークの複数の基地局により送信され、該プログラムは、プロセッサにより実行されるとき、
セルラー通信ネットワークのセルの識別を決定するステップであって、該セル識別は少なくとも１つの移動端末による受信信号についての測定が必要とされる領域に関連しているステップ、及び
少なくとも１つの移動端末に対する位置データに基づき、受信信号についての測定を提供するために、前記領域内に位置する該少なくとも１つの移動端末を選択するステップであって、該位置データは前記タイプの測位とは独立して入手可能であるステップ、
を実現するプログラム。
【請求項２７】
請求項２６に記載のプログラムを記録した、コンピュータ読み取り可能な記録媒体。
【手続補正２】
【補正対象書類名】明細書
【補正対象項目名】０００１
【補正方法】変更
【補正の内容】
【０００１】
本発明は、移動端末の測位をサポートする方法に関する。この測位は、複数の移動端末による受信信号についての測定を評価することを有するタイプのものであり、これらの信号は、少なくとも１つのセルラー通信ネットワークの複数の基地局によって送信される。本発明は、対応する移動体ロケーション・センター（ｍｏｂｉｌｅ  ｌｏｃａｔｉｏｎ  ｃｅｎｔｅｒ）と、対応するセルラー通信ネットワークと、対応するセルラー通信システムと、対応するプログラムと、対応するプログラムを格納するコンピュータ可読媒体とに等しく関連する。
【手続補正３】
【補正対象書類名】明細書
【補正対象項目名】００１４
【補正方法】変更
【補正の内容】
【００１４】
処理手段はハードウェア及び／又はソフトウェアにおいて実現できる。これらは例えば、対応するプログラム、及びこのプログラムを実行するプロセッサを有することができる。あるいは、例えばチップに統合された回路によって実現することもできるであろう。
【手続補正４】
【補正対象書類名】明細書
【補正対象項目名】００１７
【補正方法】変更
【補正の内容】
【００１７】
さらに、移動端末の測位をサポートするプログラムが提案される。測位は、複数の移動端末による受信信号についての測定を評価することを有するタイプのものであり、この信号は、少なくとも１つのセルラー通信ネットワークの複数の基地局によって送信される。プロセッサによって実行されると、プログラムは提案される方法を実現する。
【手続補正５】
【補正対象書類名】明細書
【補正対象項目名】００１８
【補正方法】変更
【補正の内容】
【００１８】
最後に、提案されるプログラムが格納されている、コンピュータ可読媒体が提案される。プログラムを格納するコンピュータ可読媒体は、例えば、個別のメモリ・デバイス、格納されているプログラムを実行するためにプロセッサによりアクセス可能な、移動体ロケーション・センター内に実装されるメモリ、又は移動体ロケーション・センター内に実装するための、より包括的なモジュールなどとすることができる。
【手続補正６】
【補正対象書類名】明細書
【補正対象項目名】００４０
【補正方法】変更
【補正の内容】
【００４０】
移動体ロケーション・センター３００は、移動体ロケーション・センター３００内に実装されたプログラムを実行するように適合されたプロセッサ３１０を備えている。
【手続補正７】
【補正対象書類名】明細書
【補正対象項目名】００４１
【補正方法】変更
【補正の内容】
【００４１】
実装されているプログラムは測位コンポーネント３１１を有する。測位コンポーネント３１１は、移動端末１１０から提供されるＯＴＤ測定に基づき、種々の基地局２０１〜２０５の送信に対する利用可能なＲＴＤ値に基づき、及びこれらの基地局２０１〜２０５の蓄積されている位置に基づき、移動端末の従来の測位を実行するように適合される。
【手続補正８】
【補正対象書類名】明細書
【補正対象項目名】００４２
【補正方法】変更
【補正の内容】
【００４２】
実装されているプログラムは、ＲＴＤ決定コンポーネント３１２をさらに有する。ＲＴＤ決定コンポーネント３１２は、複数のＭａｔｒｉｘ対応移動端末１１０〜１３０からのＯＴＤ測定に基づき、及び種々の基地局２０１〜２０５の蓄積されている位置に基づき、基地局２０１〜２０５のそれぞれの対に対する従来のＲＴＤ決定を実行するよう適合される。
【手続補正９】
【補正対象書類名】明細書
【補正対象項目名】００４３
【補正方法】変更
【補正の内容】
【００４３】
実装されているプログラムは、端末選択コンポーネント３１３をさらに有する。端末選択コンポーネント３１３は適切な移動端末１１０〜１３０を選択するよう適合され、本発明の実施形態に従い、これら移動端末は、ＲＴＤ決定コンポーネント３１２によるそれぞれのＲＴＤ決定のためにＯＴＤ測定結果を提供するものである。
【手続補正１０】
【補正対象書類名】明細書
【補正対象項目名】００４５
【補正方法】変更
【補正の内容】
【００４５】
プロセッサ３１０は、プログラム・コンポーネント３１１、３１２、３１３のいずれかによる要求があると、メモリ３２０内のデータベース３２１〜３２４にアクセスできる。
【手続補正１１】
【補正対象書類名】明細書
【補正対象項目名】００６１
【補正方法】変更
【補正の内容】
【００６１】
すなわち、これらの移動端末１１０〜１３０の端末ＩＤが、ＲＴＤ決定コンポーネント３１２に提供される。ＲＴＤ決定コンポーネント３１２は、個別のサービング基地局を介して、これらの移動端末１１０〜１３０のそれぞれに要求を与える。要求は、選択された基地局２０１及び周辺の基地局２０２〜２０５からの受信された信号についてのＯＴＤ測定を実行し、測定結果を移動体ロケーション・センター３００に提供するよう、移動端末１１０〜１３０に指示する。
【国際調査報告】
2009527965.tif 000005
2009527965.tif 000006
2009527965.tif 000007